(57)【要約】【課題】本発明は、金属装備の内部などのように検知が困難な環境で、金属装備の内部の状態情報を収集することができ、また磁界を用いて独自に電源を生成し、電池を交換することなく金属装備の内部の状態を点検する磁界通信システムおよび磁界通信方法を提供する。【解決手段】本発明の実施形態による磁界通信システムは、金属装備の内部に配置され、金属装備の内部の状態を測定するセンサと、測定した検知信号を磁界信号に変換し、金属装備の外部に送信するインタフェースと、磁界信号を用いて電源を生成し、磁界信号を分析して金属装備の内部の状態を判断するアダプタと、を含む。【選択図】図１
2018160893.tif 000002
【特許請求の範囲】
【請求項１】
金属装備の内部に配置され、前記金属装備の内部の状態を測定するセンサと、
測定した検知信号を磁界信号に変換し、前記金属装備の外部に送信するインタフェースと、
前記磁界信号を用いて電源を生成し、前記磁界信号を分析して前記金属装備の内部の状態を判断するアダプタと、を含むことを特徴とする磁界通信システム。
【請求項２】
前記インタフェースは、前記金属装備の内部に配置されることを特徴とする請求項１に記載の磁界通信システム。
【請求項３】
前記アダプタは、
前記磁界信号を受信する磁界受信部と、
前記磁界信号を分析して前記金属装備の内部の状態を判断する制御部と、
前記磁界信号を用いて電源を生成し、前記電源を貯蔵する電源部と、を含むことを特徴とする請求項１に記載の磁界通信システム。
【請求項４】
前記制御部は、前記電源部をモニタリングして前記電源部に貯蔵された電源の容量を判断し、前記電源部に貯蔵された電源の容量に基づいて前記磁界信号を制御することを特徴とする請求項３に記載の磁界通信システム。
【請求項５】
前記電源部に貯蔵された電源の容量が第２容量以下である場合、前記制御部は、前記磁界信号を前記電源部に供給して電源を生成するのに用いることを特徴とする請求項３に記載の磁界通信システム。
【請求項６】
前記電源部に貯蔵された電源の容量が第１容量以上である場合、前記制御部は、前記磁界信号を前記金属装備の内部の状態を判断するのに用いることを特徴とする請求項３に記載の磁界通信システム。
【請求項７】
前記電源部の充電が完了された後、前記電源部に貯蔵された電源の容量が第２容量以下に減少する場合、前記制御部は、受信する前記磁界信号を前記電源部を充電するのに用いることを特徴とする請求項３に記載の磁界通信システム。
【請求項８】
前記アダプタは、
前記制御部が分析した前記磁界信号を別の通信装備と通信することができる磁界送信部をさらに含み、
前記磁界送信部は、磁界を用いて前記磁界信号を送信することを特徴とする請求項３に記載の磁界通信システム。
【請求項９】
センサが金属装備の内部の状態を測定する測定ステップと、
前記センサが測定した検知信号を磁界信号に変換し、前記金属装備の外部に送信する外部送信ステップと、
前記磁界信号を受信し、受信した前記磁界信号を用いて電源を生成、および前記磁界信号を分析して前記金属装備の内部の状態を判断する電源生成及び状態判断ステップと、を含み、
前記磁界信号はアダプタにより受信され、
前記アダプタは、
前記磁界信号を受信する磁界受信部と、
前記磁界信号を分析して前記金属装備の内部の状態を判断する制御部と、
前記磁界信号を用いて電源を生成し、前記電源を貯蔵する電源部と、を含むことを特徴とする磁界通信方法。
【請求項１０】
前記電源生成及び状態判断ステップは、
前記制御部が、前記電源部に貯蔵される電源の容量が第１容量以上になるまで、受信する前記磁界信号を電源を生成するために用いるステップを含むことを特徴とする請求項９に記載の磁界通信方法。
【請求項１１】
前記電源生成及び状態判断ステップは、
前記電源部に貯蔵された電源の容量が前記第１容量以上に充電された後、前記制御部が、受信する前記磁界信号を前記金属装備の内部の状態を判断するために用いるステップをさらに含むことを特徴とする請求項１０に記載の磁界通信方法。
【請求項１２】
前記電源生成及び状態判断ステップは、
前記第１容量以上であった前記電源部に貯蔵された電源の容量が第２容量以下に減少すると、前記制御部が、前記電源部の電源の容量が再び前記第１容量以上になるように、前記磁界信号を前記電源部に供給するステップをさらに含むことを特徴とする請求項１０に記載の磁界通信方法。
【請求項１３】
前記金属装備の内部の状態を、磁界を用いて別の通信装備に送信するステップをさらに含むことを特徴とする請求項９に記載の磁界通信方法。
【発明の詳細な説明】
【技術分野】
【０００１】
本発明は、磁界通信システムおよび磁界通信方法に関し、より詳細には、金属装備の内部の状態を示す信号を、磁界を用いて通信し、磁界を用いて通信した信号を電源に変換して金属装備の内部の状態を分析する磁界通信システムおよび磁界通信方法に関する。
【背景技術】
【０００２】
現在、金属装備の内部の状態を検知するための方法として、金属装備の外部にセンサを配置して金属装備の外部の状態を検知した後、金属装備の外部の状態を判断することで、金属装備の内部の状態を予測する方法がある。
かかる方法は、金属装備の内部の状態を正確に判断することが困難であり、金属装備の内部にセンサを配置するとしても、センサの検知値を正確に通信することが困難であるという欠点がある。また、金属装備の状態を持続的に検知するために、電池を周期的に交換しなければならないという不便さがある。
【先行技術文献】
【特許文献】
【０００３】
【特許文献１】特開２００７−１０８１８７号公報
【発明の概要】
【発明が解決しようとする課題】
【０００４】
本発明は上述従来の検知方法の問題点を解決するためのものであって、その目的は、金属装備の内部などのように検知が困難な環境で、金属装備の内部の状態情報を収集することができる磁界通信システムおよび磁界通信方法を提供することにある。
また、本発明の他の目的は、磁界を用いて独自に電源を生成し、電池を交換することなく金属装備の内部の状態を点検する磁界通信システムおよび磁界通信方法を提供することにある。
上記で言及した本発明の技術的課題の他にも、本発明の他の特徴および利点を以下で記述するが、かかる技術および説明から、本発明が属する技術分野において通常の知識を有する者に明確に理解されることができるであろう。
【課題を解決するための手段】
【０００５】
上記目的を達成するためになされた本発明の実施形態による磁界通信システムは、金属装備の内部に配置され、金属装備の内部の状態を測定するセンサと、測定した検知信号を磁界信号に変換し、金属装備の外部に送信するインタフェースと、磁界信号を用いて電源を生成し、磁界信号を分析して金属装備の内部の状態を判断するアダプタと、を含むことを特徴とする。
【０００６】
ここで、前記インタフェースは、前記金属装備の内部に配置されることが好ましい。
前記アダプタは、前記磁界信号を受信する磁界受信部と、前記磁界信号を分析して前記金属装備の内部の状態を判断する制御部と、前記磁界信号を用いて電源を生成し、前記電源を貯蔵する電源部と、を含むことが好ましい。
【０００７】
また、前記電源部が充電されていない場合、前記制御部は、前記磁界信号を前記電源部に供給して電源を生成するのに用いることが好ましい。
前記電源部に充電された電源の容量が第１容量以上であると、前記制御部は、前記磁界信号を前記金属装備の内部の状態を判断するのに用い、第１容量は電源部の充電が完了された容量であることが好ましい。
【０００８】
また、前記電源部の充電が完了された後、前記電源部に貯蔵された電源の容量が第２容量以下に減少する場合に、前記制御部は、受信する前記磁界信号を、前記電源部を充電するのに用いる。
前記アダプタは、前記制御部が分析した前記磁界信号を別の通信装備と通信することができる磁界送信部をさらに含み、前記磁界送信部は、磁界を用いて前記磁界信号を送信することが好ましい。
【０００９】
上記目的を達成するためになされた本発明の実施形態による磁界通信方法は、センサが金属装備の内部の状態を測定するステップと、センサが測定した検知信号を磁界信号に変換し、金属装備の外部に送信するステップと、磁界信号を受信し、受信した磁界信号を用いて電源を生成、および磁界信号を分析して金属装備の内部の状態を判断するステップと、を含むことを特徴とする。
【００１０】
ここで、前記金属装備の内部の状態を判断するステップにおいて、前記制御部は、前記電源部に充電される電源の容量が第１容量以上になるまで、受信する前記磁界信号を電源を生成するために用いることが好ましい。
前記金属装備の内部の状態を判断するステップにおいて、前記電源部に充電された電源の容量が前記第１容量以上に充電された後、前記制御部は、受信する前記磁界信号を前記金属装備の内部の状態を判断するために用いる。
【００１１】
また、前記金属装備の内部の状態を判断するステップにおいて、前記第１容量以上であった前記電源部に貯蔵された電源の容量が第２容量以下に減少すると、前記制御部は、前記電源部の電源の容量が再び前記第１容量以上になるように前記磁界信号を前記電源部に供給するステップをさらに含むことが好ましい。
前記金属装備の内部の状態を、磁界を用いて別の通信装備に送信するステップをさらに含むことが好ましい。
【発明の効果】
【００１２】
本発明の実施形態による磁界通信システムおよび磁界通信方法は、金属装備の内部などのように検知が困難な環境で、金属装備の内部の状態情報を収集することができる。
また、磁界を用いて独自に電源を生成するため、電池の交換なしに金属装備の内部の状態を点検することができ、別の電池が不要であるため、通信システムの構成を単純化することができる。
その他にも、本発明の実施形態によって、本発明のさらに他の特徴および利点が新しく把握されることもできるであろう。
【図面の簡単な説明】
【００１３】
【図１】本発明の実施形態による磁界通信システムの構成を示すブロック図である。
【図２】本発明の実施形態によるインタフェースの構成を示すブロック図である。
【図３】磁界通信を示す図である。
【図４】本発明の実施形態による磁界通信方法を説明するためのフローチャートである。
【発明を実施するための形態】
【００１４】
以下、添付図面を参照して、本発明が属する技術分野において通常の知識を有する者が容易に実施できるように、本発明の実施形態について詳細に説明する。本発明は様々な異なる形態に具現可能であり、ここで説明する実施形態に限定されない。
本発明を明確に説明するために、説明に関係のない部分は省略し、明細書の全体にわたって、同一または類似の構成要素には同一の参照符号を付す。
【００１５】
明細書の全体において、ある部分が他の部分と「連結」されているとする場合、これは、「直接的に連結」されている場合だけでなく、その間に他の素子を介して「電気的に連結」されている場合も含む。また、ある部分がある構成要素を「含む」とする場合、これは、特に反対される記載がない限り、他の構成要素を除くのではなく、他の構成要素をさらに含み得ることを意味する。
ある部分が他の部分の「上に」あると言及する場合、これは、他の部分の直上にある場合だけでなく、その間に他の部分が伴われる場合も含む。対照的に、ある部分が他の部分の「直上に」あると言及する場合、その間に他の部分が伴われない。
【００１６】
第１、第２、および第３などの用語は、様々な部分、成分、領域、層、および／またはセクションを説明するために用いられ、これらに限定されるものではない。これら用語は、ある部分、成分、領域、層、またはセクションを、他の部分、成分、領域、層、またはセクションと区別するためにのみ用いられる。したがって、以下で記述する第１部分、成分、領域、層、またはセクションは、本発明の範囲を逸脱しない範囲内で、第２部分、成分、領域、層、またはセクションと言及され得る。
【００１７】
ここで用いられる専門用語は、ただ特定実施形態を言及するためのものであり、本発明を限定しようとする意図ではない。ここで用いられる単数の形態は、文脈上明白に反対の意味を有しない限り、複数の形態も含む。明細書で用いられる「含む」の意味は、特定の特性、領域、整数、ステップ、動作、要素、および／または成分を具体化し、他の特性、領域、整数、ステップ、動作、要素、および／または成分の存在や付加を除くのではない。
【００１８】
「下」、「上」などの相対的な空間を示す用語は、図面で示された一部分と他の部分との関係をより容易に説明するために用いられることができる。かかる用語は、図面で意図した意味とともに、使用中の装置の他の意味や動作を含むように意図される。例えば、図面中の装置を倒立させると、他の部分の「下」にあると説明されたある部分が、他の部分の「上」にあると説明される。したがって、「下」という例示的な用語は、上と下の方向を両方とも含む。装置は、９０°回転または他の角度で回転可能であり、相対的な空間を示す用語もこれに応じて解釈される。
【００１９】
他に定義していないが、ここで用いられる技術用語および科学用語を含む全ての用語は、本発明が属する技術分野において通常の知識を有する者が一般に理解する意味と同一の意味を有する。通常用いられる辞書に定義された用語は、関連技術文献と現在開示された内容にかなう意味を有すると追加解釈され、定義されない限り、理想的または非常に公式的な意味に解釈されない。
【００２０】
図１は本発明の実施形態による磁界通信システムの構成を示すブロック図であり、図２は本発明の実施形態によるインタフェースの構成を示すブロック図である。
図１および図２を参照すると、本発明の実施形態による磁界通信システムは、アダプタ１００およびセンサユニット２００を含む。アダプタ１００は、アンテナ１１０、磁界受信部１２０、電源部１３０、磁界送信部１４０、および制御部１５０を含み、センサユニット２００はセンサ２１０およびインタフェース２２０を含むことができる。
【００２１】
センサ２１０は、地中施設、水中施設、および金属装備の内部に配置され、地中施設、水中施設、および金属装備の内部の状態を測定することができる。具体的に、センサ２１０は、地中施設、水中施設、および金属装備の内部の温度、圧力、湿度、亀裂などの状態を測定する。ここで、センサ２１０は、温度、圧力、湿度、亀裂などをそれぞれ検出するように別々に配置することができる。
【００２２】
インタフェース２２０は、地中施設、水中施設、および金属装備の内部に配置されており、センサ２１０が測定した地中施設、水中施設、および金属装備の内部の状態を示す検知信号を磁界信号に変換し、地中施設、水中施設、および金属装備の外部に送信することができる。一例として、インタフェース２２０は、センサ２１０と別の構成として地中施設、水中施設、および金属装備の内部に配置されることができる。他の例として、インタフェース２２０はセンサ２１０の一構成であってもよい。
【００２３】
インタフェース２２０は、信号変換部２２２および通信部２２４を含むことができる。信号変換部２２２は、センサ２１０が測定した地中施設、水中施設、および金属装備の内部の状態を示す検知信号を磁界信号に変換することができる。通信部２２４は、変換した磁界信号を地中施設、水中施設、および金属装備の外部に送信することができる。
【００２４】
アンテナ１１０は、インタフェース２２０が送信した磁界信号を受信し、磁界受信部１２０に伝達することができる。ここで、インタフェース２２０とアダプタ１００との間の磁界通信において、インタフェース２２０とアダプタ１００が同一の共振周波数を有するように設定して、最大電力が伝送されるようにすることができる。また、インタフェース２２０とアダプタ１００の距離および位置が、特定距離または特定位置に配置されるように設定して、最大電力が伝送されるようにすることができる。
【００２５】
磁界受信部１２０は、インタフェース２２０が送信した磁界信号をアンテナ１１０を介して受信し、受信した磁界信号を制御部１５０に提供することができる。
【００２６】
電源部１３０は、制御部１５０が供給する磁界信号を用いて電源を生成し、生成された電源を貯蔵することができる。具体的に、電源部１３０は、磁界が印加される際に電流を生成することができるコイルと、生成された電流を貯蔵することができるキャパシタ（ｃａｐａｃｉｔｏｒ）と、を含むことができる。電源部１３０は、磁界信号を受信するにあたり、磁界により発生する電磁気誘導現象によって生成される電流をキャパシタに貯蔵する。
【００２７】
ここで、キャパシタは、電流がそれ以上供給されないと、キャパシタの貯蔵された電流を電源として用いることができる。したがって、電源部１３０は、制御部１５０から磁界信号が供給されると、磁界信号によって生成された電流をキャパシタに貯蔵する。また、制御部１５０から磁界信号が供給されなくてキャパシタに電流がそれ以上供給されないと、電源部１３０は、キャパシタに貯蔵された電流を電源として用いることができる。
【００２８】
制御部１５０は、磁界受信部１２０から受信した磁界信号を電源部１３０に供給し、受信した磁界信号を分析することができる。具体的に、制御部１５０は、電源部１３０に貯蔵された電源の容量に基づいて磁界信号を供給する。ここで、制御部１５０は、電源部１３０をモニタリングして電源部１３０に貯蔵された電源の容量を判断することができる。
【００２９】
制御部１５０は、電源部１３０が充電されていない場合に、電源部１３０の容量が第１容量以上になるまで磁界信号を電源部１３０に供給する。制御部１５０は、電源部１３０の容量が第１容量以上になるまでは、磁界信号の分析を行わないようにしてもよい。この際、電源部１３０は、制御部１５０から供給された磁界信号を用いて電源を生成し、生成された電源を貯蔵する。例えば、第１容量は、電源部１３０の充電が完了された容量であり、電源部１３０の充電が完了されていなくても、磁界信号を分析できる程度の容量であるとしてもよい。
【００３０】
制御部１５０は、電源部１３０に充電された電源の容量が第１容量以上になると、電源部１３０に磁界信号をそれ以上供給せず、磁界信号を分析して金属装備の内部の状態を判断するのに用いる。この際、制御部１５０は、電源部１３０から電源の供給を受けて金属装備の内部の状態を分析することができる。
【００３１】
また、制御部１５０は、電源部１３０の充電が完了した後、電源部１３０に貯蔵された電源が第２容量以下に減少する場合に、磁界信号を電源部１３０に再び供給する。この際、制御部１５０は、磁界信号を金属装備の内部状態の分析には用いず、全ての磁界信号を電源部１３０に供給して電源を生成するように制御することができる。例えば、第２容量は、電源部１３０に貯蔵された電源が全て放電された容量であり、電源部１３０に貯蔵された電源が全て放電されていなくても、磁界信号を分析できない程度の容量であるとしてもよい。
【００３２】
ここで、制御部１５０は、電源部１３０に貯蔵された電源の容量が第１容量以上になるように磁界信号を供給することができ、電源部１３０に貯蔵された電源の容量が第１容量以上になると、貯蔵された電源を用いて、磁界受信部１２０から受信した磁界信号を分析することができる。また、電源部１３０に貯蔵された電源の容量が第２容量以下に減少すると、制御部１５０は、磁界受信部１２０から受信した磁界信号を電源部１３０に再び供給することができる。すなわち、制御部１５０は、別の電源装置なしに、地中施設、水中施設、および金属装備の内部の状態を判断することができる。そして、制御部１５０は、磁界信号の分析結果を磁界送信部１４０に提供する。
【００３３】
磁界送信部１４０は、制御部１５０が磁界信号を分析した結果を別の通信装備に送信することができる。この際、磁界送信部１４０は磁界を用いて別の通信装備に送信し、別の通信装備は、センサユニット２００でもよいし、センサユニット２００以外の他の装備であってもよい。
【００３４】
本発明の実施形態による磁界通信システムは、磁界を用いる通信方式を採択している。したがって、一般の通信システムでは通信が困難な、地中施設、水中施設、および金属装備の内部とその外部との通信が可能である。また、本発明の実施形態による磁界通信システムは、別の電源装置が不要であるため、構成を簡素化した通信システムを実現することができる。構成の簡素化により、空間が狭い地域にアダプタ１００を提供することができる。
【００３５】
図３は磁界通信を示す図である。
図３を参照すると、センサ２１０は、地中施設、水中施設、および金属装備の内部の状態を測定し、インタフェース２２０は、センサ２１０が測定した地中施設、水中施設、および金属装備の内部の状態を示す検知信号を磁界信号に変換することができる。また、インタフェース２２０は、変換した磁界信号を、磁界を用いて磁界受信部１２０に送信する。この際、インタフェース２２０は、アダプタ１００とのインピーダンスマッチングのために別の受動素子を含むことができる。ここで、アンテナ１１０は、インタフェース２２０が送信する磁界信号を受信して磁界受信部１２０に伝達することができる。
【００３６】
ここで、インタフェース２２０と磁界受信部１２０との間の磁界通信において、インタフェース２２０と磁界受信部１２０が同一の共振周波数を有するように設定し、インタフェース２２０と磁界受信部１２０との距離および位置が特定距離または特定位置に配置されるように設定して、最大電力が伝送されるようにすることができる。すなわち、アダプタ１００とセンサユニット２００とのインピーダンスマッチングにより、磁界通信の受信性能を向上させることができる。
【００３７】
図４は本発明の実施形態による磁界通信方法を説明するためのフローチャートである。
図４を参照すると、センサ２１０は金属装備の内部の状態を測定して検知する（Ｓ４１０段階）。具体的に、センサ２１０は、金属装備の内部の温度、湿度、圧力、亀裂の程度を検知することができる。ここで、センサ２１０は、金属装備の状態だけでなく、地中施設、水中施設の状態も検知することができる。
【００３８】
次に、インタフェース２２０は、センサ２１０が測定して検知した検知信号を磁界信号に変換し、変換された磁界信号を送信する（Ｓ４２０段階）。具体的に、信号変換部２２２は、センサ２１０が検知した検知信号を磁界信号に変換し、通信部２２４は、変換された磁界信号を地中施設、水中施設、および金属装備の外部に送信する。この際、通信部２２４は磁界を用いて磁界信号を送信する。
次いで、磁界受信部１２０は、インタフェース２２０から送信される磁界信号を受信する（Ｓ４３０段階）。磁界受信部１２０は受信した磁界信号を制御部１５０に提供する。
【００３９】
次に、電源部１３０は、制御部１５０から磁界信号の供給を受けて電源を生成する（Ｓ４４０段階）。
具体的に、電源部１３０が充電されていない場合に、制御部１５０は電源部１３０に磁界信号を供給する。そして、電源部１３０は、供給された磁界信号を用いて電源を生成し、生成された電源を貯蔵する。ここで、電源部１３０は、磁界により発生する電磁気誘導現象によって生成される電流を貯蔵し、生成された電流はキャパシタに貯蔵される。
【００４０】
次に、制御部１５０は、電源部１３０に貯蔵された電気信号を電源として用いて磁界信号を分析する（Ｓ４５０段階）。
具体的に、制御部１５０は、電源部１３０に貯蔵された電源の容量が第１容量以上であると、電源部１３０に磁界信号をそれ以上供給せず、磁界信号を分析する。ここで、制御部１５０は、磁界信号を分析して地中施設、水中施設、および金属装備の内部の状態を判断する。一例として、金属装備の内部の温度を判断することで、金属装備の状態が正常であるか異常であるかを判断することができる。または、金属装備の内部の圧力を判断することで、金属装備の状態が正常であるか異常であるかを判断することができる。
【００４１】
ここで、制御部１５０は、第１容量以上であった電源部１３０に貯蔵された電源の容量が第２容量以下に減少すると、電源部１３０に貯蔵された電源の容量が再び第１容量以上になるように磁界信号を供給する。
次に、磁界送信部１４０は、制御部１５０が分析した磁界信号を別の通信装備に送信することができる（Ｓ４６０段階）。具体的に、磁界送信部１４０は、磁界信号を用いて判断した地中施設、水中施設、および金属装備の内部の状態を別の通信装備に送信する。この際、磁界送信部１４０は磁界を用いて別の通信装備に送信することができ、別の通信装備はセンサユニット２００であり得る。
【００４２】
本発明の実施形態によると、金属装備の内部の状態を示す信号を磁界を用いて通信し、磁界を用いて通信した信号を電源に変換して金属装備の内部の状態を分析する磁界通信システムおよび磁界通信方法を実現することができる。
本発明が属する技術分野の当業者は、本発明をその技術的思想や必須特徴を変更せずに他の具体的な形態で実施することができるため、以上で記述した実施形態は、全ての点で例示的なものであり、限定的なものではないと理解すべきである。本発明の範囲は、詳細な説明よりは、添付の特許請求の範囲によって示され、特許請求の範囲の意味および範囲、そしてその等価の概念から導出される全ての変更または変形形態が、本発明の範囲に含まれると解釈すべきである。
【符号の説明】
【００４３】
１００  アダプタ
１１０  アンテナ
１２０  磁界受信部
１３０  電源部
１４０  磁界送信部
１５０  制御部
２００  センサユニット
２１０  センサ
２２０  インタフェース
２２２  信号変換部
２２４  通信部
【図１】
2018160893.tif 000003
【図２】
2018160893.tif 000004
【図３】
2018160893.tif 000005
【図４】
2018160893.tif 000006